(57)【要約】【課題】処理を実行したときに正常に終了したときと正常に終了しなかったときとで設定を登録するか否かを変更し、登録すべき設定をユーザの負担がより少ない方法で決めることができる処理装置等を提供できる。【解決手段】ユーザが行ないたい処理である第１の処理および第１の処理を行なうための設定を受け付ける受付手段１１０と、受け付けられた第１の処理を実行する実行手段１２０と、第１の処理を実行したときに第１の処理を再度行なうための第２の処理を生成する生成手段１３０と、を備え、生成手段１３０は、第１の処理が正常に終了したときと正常に終了しなかったときとで第２の処理の内容を異ならせる処理装置。【選択図】図３
2018043463.tif 000002
【特許請求の範囲】
【請求項１】
ユーザが行ないたい処理である第１の処理および当該第１の処理を行なうための設定を受け付ける受付手段と、
受け付けられた前記第１の処理を実行する実行手段と、
前記第１の処理を実行したときに当該第１の処理を再度行なうための第２の処理を生成する生成手段と、
を備え、
前記生成手段は、前記第１の処理が正常に終了したときと正常に終了しなかったときとで前記第２の処理の内容を異ならせる処理装置。
【請求項２】
前記生成手段は、前記第１の処理が正常に終了したときは、前記設定を反映した当該第１の処理である前記第２の処理を生成し、当該第１の処理が正常に終了しなかったときは、当該設定を変更するための当該第２の処理を生成することを特徴とする請求項１に記載の処理装置。
【請求項３】
前記生成手段は、前記設定を反映した当該第１の処理である前記第２の処理を生成し、当該第１の処理が正常に終了したときは、当該第２の処理を維持し、当該第１の処理が正常に終了しなかったときは、当該設定を変更するための当該第２の処理を生成することを特徴とする請求項１に記載の処理装置。
【請求項４】
前記生成手段は、前記第１の処理の一部が正常に終了しなかったときは、正常に終了しなかった当該第１の処理の一部に対する前記設定を変更するための前記第２の処理を生成することを特徴とする請求項２または３に記載の処理装置。
【請求項５】
前記生成手段は、前記第１の処理が正常に終了しなかったときに生成した前記第２の処理を、当該第２の処理により前記設定を変更した後に前記第１の処理を再度実行した場合に正常に終了したときは削除することを特徴とする請求項２乃至４の何れか１項に記載の処理装置。
【請求項６】
前記受付手段は、受け付けた前記設定を保存し、
前記生成手段は、前記第１の処理が正常に終了しなかったときは、保存された当該設定を削除することを特徴とする請求項２乃至５の何れか１項に記載の処理装置。
【請求項７】
前記生成手段は、前記第１の処理が正常に終了したときと正常に終了しなかったときのそれぞれに応じて、前記第２の処理に関連付けられ選択されることで当該第２の処理を行なう処理選択部をさらに生成することを特徴とする請求項１乃至６の何れか１項に記載の処理装置。
【請求項８】
前記処理選択部を表示する表示手段における画像の表示を制御する画像制御手段をさらに備えることを特徴とする請求項７に記載の処理装置。
【請求項９】
記録媒体に画像を形成する画像形成部と、
自装置の制御を行なう制御部と、
を備え、
前記制御部は、
ユーザが行ないたい処理である第１の処理および当該第１の処理を行なうための設定を受け付ける受付手段と、
受け付けられた前記第１の処理を実行する実行手段と、
前記第１の処理を実行したときに当該第１の処理を再度行なうための第２の処理を生成する生成手段と、
を備え、
前記制御部の前記生成手段は、前記第１の処理が正常に終了したときと正常に終了しなかったときとで前記第２の処理の内容を異ならせる画像形成装置。
【発明の詳細な説明】
【技術分野】
【０００１】
本発明は、処理装置、画像形成装置に関する。
【背景技術】
【０００２】
処理装置の表示手段において、自装置で行なうことができる処理の一覧を画像として表示するときがある。そしてユーザはこの一覧の中から実行したい処理を選択する方法が一般的に用いられている。この一覧は、例えば、予め定められた処理に関連付けられたアイコン等の処理選択部を並べることにより構成され、ユーザは、例えば、アイコン等をタッチすることで実行したい処理の選択を行なう。
【０００３】
特許文献１には、ＭＦＰの制御部は、携帯端末より、画像処理ジョブの実行条件に関する第１の情報と、携帯端末において実行条件を設定する実行条件設定画面の構成に関する第２の情報を受信すると、第１の情報に基づいて画像処理ジョブを予約登録して、操作パネルのジョブの予約一覧に表示し、その後、ジョブの予約一覧から予約ジョブが選択され、詳細表示ボタンをタップされれば、第２の情報の、画面構成情報に基づいて、予約ジョブの設定表示画面を、携帯端末の実行条件設定画面の画面レイアウトに合わせて生成し、操作パネルに表示するように構成したことが開示されている。
また特許文献２には、印刷システムは、情報処理装置のプリンタドライバが、印刷条件を設定する各種設定項目を表示するユーザインターフェイス画面での各設定項目を利用した印刷設定の利用状況を、各設定項目毎に所定の非表示条件と比較し、各設定項目の表示・非表示を制御することが開示されている。
さらに特許文献３には、補助装置において、ショートカット作成部は、情報提供装置のリモートコントローラに対する操作履歴に基づいて、曜日及び時間毎に、連続する複数の操作からなる設定指示をショートカットとして作成し、ショートカット表示部は、ショートカット作成部が作成したショートカットのうちの、現在の曜日における現在の時間を含む所定長の期間内の各ショートカットを、リモートコントローラを介してユーザにより指定可能に表示することが開示されている。
【先行技術文献】
【特許文献】
【０００４】
【特許文献１】特開２０１５−１２８８２８号公報
【特許文献２】特開２００７−２７９８９４号公報
【特許文献３】特開２０１５−５３６４２号公報
【発明の概要】
【発明が解決しようとする課題】
【０００５】
表示手段から処理を実行するには、通常は、処理に関する設定を行ない、その後でスタートボタン等を押下することでその処理が開始される。このとき予め設定を登録しておくことで処理に関する設定を行なう手間を軽減する方法が知られている。
しかしながらこの方法は、処理を行なう前に設定を登録する必要があるため、ユーザは、正しい設定がわからないまま登録を行ない、その結果、正しい処理が実行できない設定が登録されてしまう場合がある。
本発明は、処理を実行したときに正常に終了したときと正常に終了しなかったときとで設定を登録するか否かを変更し、登録すべき設定をユーザの負担がより少ない方法で決めることができる処理装置等を提供することを目的とする。
【課題を解決するための手段】
【０００６】
請求項１に記載の発明は、ユーザが行ないたい処理である第１の処理および当該第１の処理を行なうための設定を受け付ける受付手段と、受け付けられた前記第１の処理を実行する実行手段と、前記第１の処理を実行したときに当該第１の処理を再度行なうための第２の処理を生成する生成手段と、を備え、前記生成手段は、前記第１の処理が正常に終了したときと正常に終了しなかったときとで前記第２の処理の内容を異ならせる処理装置である。
請求項２に記載の発明は、前記生成手段は、前記第１の処理が正常に終了したときは、前記設定を反映した当該第１の処理である前記第２の処理を生成し、当該第１の処理が正常に終了しなかったときは、当該設定を変更するための当該第２の処理を生成することを特徴とする請求項１に記載の処理装置である。
請求項３に記載の発明は、前記生成手段は、前記設定を反映した当該第１の処理である前記第２の処理を生成し、当該第１の処理が正常に終了したときは、当該第２の処理を維持し、当該第１の処理が正常に終了しなかったときは、当該設定を変更するための当該第２の処理を生成することを特徴とする請求項１に記載の処理装置である。
請求項４に記載の発明は、前記生成手段は、前記第１の処理の一部が正常に終了しなかったときは、正常に終了しなかった当該第１の処理の一部に対する前記設定を変更するための前記第２の処理を生成することを特徴とする請求項２または３に記載の処理装置である。
請求項５に記載の発明は、前記生成手段は、前記第１の処理が正常に終了しなかったときに生成した前記第２の処理を、当該第２の処理により前記設定を変更した後に前記第１の処理を再度実行した場合に正常に終了したときは削除することを特徴とする請求項２乃至４の何れか１項に記載の処理装置である。
請求項６に記載の発明は、前記受付手段は、受け付けた前記設定を保存し、前記生成手段は、前記第１の処理が正常に終了しなかったときは、保存された当該設定を削除することを特徴とする請求項２乃至５の何れか１項に記載の処理装置である。
請求項７に記載の発明は、前記生成手段は、前記第１の処理が正常に終了したときと正常に終了しなかったときのそれぞれに応じて、前記第２の処理に関連付けられ選択されることで当該第２の処理を行なう処理選択部をさらに生成することを特徴とする請求項１乃至６の何れか１項に記載の処理装置である。
請求項８に記載の発明は、前記処理選択部を表示する表示手段における画像の表示を制御する画像制御手段をさらに備えることを特徴とする請求項７に記載の処理装置である。
請求項９に記載の発明は、記録媒体に画像を形成する画像形成部と、自装置の制御を行なう制御部と、を備え、前記制御部は、ユーザが行ないたい処理である第１の処理および当該第１の処理を行なうための設定を受け付ける受付手段と、受け付けられた前記第１の処理を実行する実行手段と、前記第１の処理を実行したときに当該第１の処理を再度行なうための第２の処理を生成する生成手段と、を備え、前記制御部の前記生成手段は、前記第１の処理が正常に終了したときと正常に終了しなかったときとで前記第２の処理の内容を異ならせる画像形成装置である。
【発明の効果】
【０００７】
請求項１の発明によれば、第１の処理を実行したときに正常に終了したときと正常に終了しなかったときとで設定を登録するか否かを変更し、登録すべき設定をユーザの負担がより少ない方法で決めることができる処理装置を提供できる。
請求項２の発明によれば、第１の処理が正常に終了したときは、設定を第２の処理に登録することができ、第１の処理が正常に終了しなかったときは、設定を変更する第２の処理を生成してユーザが容易に設定を変更することができる。
請求項３の発明によれば、第１の処理が正常に終了したときは、設定を第２の処理に登録することができ、第１の処理が正常に終了しなかったときは、設定を変更する第２の処理を生成してユーザが容易に設定を変更することができる。
請求項４の発明によれば、ユーザは、設定について変更を行なう必要があるものを簡単に認識でき、より少ない手間で設定の変更を行なうことができる。
請求項５の発明によれば、第２の処理がいわば自動的に削除され、ユーザの手間がさらに軽減される。
請求項６の発明によれば、正しい処理が実行できない設定を残らなくすることができる。
請求項７の発明によれば、ユーザがより直観的に操作を行なうことができる。
請求項８の発明によれば、ユーザに対し画像として処理選択部を表示することができる。
請求項９の発明によれば、ユーザの手間を軽減することができる画像形成装置を提供できる。
【図面の簡単な説明】
【０００８】
【図１】画像形成装置のハードウェア構成例を示した図である。
【図２】操作パネルに表示される画像の一例を示した図である。
【図３】制御部の機能構成例を示したブロック図である。
【図４】第１の実施形態における制御部の動作について説明したフローチャートである。
【図５】（ａ）〜（ｂ）は、操作パネルに表示されるワンタッチアプリのアイコンを示した図である。
【図６】第２の実施形態における制御部の動作について説明したフローチャートである。
【発明を実施するための形態】
【０００９】
＜画像形成装置の全体構成の説明＞
図１は、画像形成装置のハードウェア構成例を示した図である。
画像形成装置１０は、紙等の記録媒体に画像を形成し、印刷媒体として出力する装置である。画像形成装置１０は、プリンタ機能を備えるが、これに加えて例えば、スキャナ機能、ファクシミリ機能等の他の画像処理機能を備えている。
【００１０】
図示するように、画像形成装置１０は、ＣＰＵ（Central Processing Unit）１１と、ＲＡＭ（Random Access Memory）１２と、ＲＯＭ（Read Only Memory）１３と、ＨＤＤ（Hard Disk Drive）１４と、操作パネル１５と、画像読み取り部１６と、画像形成部１７と、通信Ｉ／Ｆ１８とを備える。そしてこれらがバスＢを介して必要なデータのやりとりを行なう。
【００１１】
ＣＰＵ１１は、ＲＯＭ１３等に記憶された各種プログラムをＲＡＭ１２にロードして実行することにより、後述する各機能を実現する。
【００１２】
ＲＡＭ１２は、ＣＰＵ１１の作業用メモリ等として用いられるメモリである。
ＲＯＭ１３は、ＣＰＵ１１が実行する各種プログラム等を記憶するメモリである。
ＨＤＤ１４は、画像読み取り部１６が読み取った画像情報や画像形成部１７における画像形成にて用いる画像情報等を記憶する例えば磁気ディスク装置である。
操作パネル１５は、各種情報の表示やユーザからの操作入力の受付を行なう例えばタッチパネルである。
【００１３】
画像読み取り部１６は、原稿に記録された画像を読み取る。ここで、画像読み取り部１６は、例えばスキャナであり、光源から原稿に照射した光に対する反射光をレンズで縮小してＣＣＤ（Charge Coupled Devices）で受光するＣＣＤ方式や、ＬＥＤ光源から原稿に順に照射した光に対する反射光をＣＩＳ（Contact Image Sensor）で受光するＣＩＳ方式のものを用いるとよい。
【００１４】
画像形成部１７は、記録媒体に画像を形成する印刷機構の一例である。ここで、画像形成部１７は、例えばプリンタであり、感光体に付着させたトナーを用紙等の記録媒体に転写して像を形成する電子写真方式や、インクを記録媒体上に吐出して像を形成するインクジェット方式のものを用いるとよい。
通信Ｉ／Ｆ１８は、ネットワークを介して他の装置との間で各種情報の送受信を行なう。
【００１５】
また本実施の形態では、ＣＰＵ１１、ＲＡＭ１２、ＲＯＭ１３、およびＨＤＤ１４で、自装置である画像形成装置１０の各機構部の制御を行なう制御部（処理装置）１００を構成する。
【００１６】
＜画像形成装置１０の動作の説明＞
このような画像形成装置１０を使用して、ユーザは、例えば、原稿のコピーを行なうことができる。即ち、画像読み取り部１６によって読み取られた原稿の画像情報を基に、画像形成部１７により画像を記録媒体上に形成することで原稿をコピーすることができる。またユーザは、画像形成装置１０に接続されたＬＡＮ（Local Area Network）等のネットワーク（図示せず）および通信Ｉ／Ｆ１８を介してＰＣ（Personal Computer）等の外部装置（図示せず）から印刷のジョブを画像形成装置１０に送信することでプリントを行なうことができる。即ち、印刷のジョブに含まれる画像情報を基に、画像形成部１７により画像を記録媒体上に形成することでプリントすることができる。さらにユーザは、ファクシミリの送受信を行なうことができる。即ち、画像読み取り部１６によって読み取られた原稿の画像情報をネットワークおよび通信Ｉ／Ｆ１８を介して送信できる。あるいはユーザは、原稿のスキャンを行なうことができる。即ち、画像読み取り部１６によって読み取られた原稿の画像情報をネットワークおよび通信Ｉ／Ｆ１８を介して外部装置に保存できる。
【００１７】
＜操作パネル１５の説明＞
次に操作パネル１５についてさらに詳しく説明を行なう。
操作パネル１５は、上述したように例えばタッチパネルである。操作パネル１５をタッチパネルにすることで、画像形成装置１０の画像形成条件などの各種情報はタッチパネルに表示される。そしてユーザは、タッチパネルをタッチすることで画像形成条件などの入力操作を行なう。
【００１８】
また操作パネル１５は、以下のように動作する。
図２は、操作パネル１５に表示される画像の一例を示した図である。
この場合、操作パネル１５には、画像形成装置１０が備える機能を実行するためのアイコンＩの一覧が画像として表示されている。この画像は、いわゆるホーム画面である。またこのとき表示されているアイコンＩは、予め定められた処理に関連付けられ、選択されることで処理を行なう処理選択部の一例である。
【００１９】
図示する例では、操作パネル１５は、コピー、ファクス／インターネットファクス、スキャナ（メール送信）、ジョブフロー、どこでもプリント、らくらくファクス、スキャナ（ＰＣ保存）、スキャナ（ボックス保存）、ワンタッチコピーのそれぞれの機能を表すアイコンＩを表示し、これを一覧としている。
【００２０】
そしてユーザは、目的の機能を利用するためには、何れかのアイコンを選択する選択操作を行なう。
選択操作は、例えば、ユーザがアイコンＩをタッチする操作である。ユーザがアイコンＩをタッチすると、例えば、アイコンＩに関連付けられた機能に対応する設定画面が表示される。例えば、「コピー」のアイコンＩをタッチすると、原稿のコピーを行なうための設定画面として、コピーを行なう枚数、使用する用紙の選択、白黒／カラーの選択、拡大／縮小の設定を行なう画面が表示される。そして設定後、ユーザが、図示しないスタートボタン等を押下すると、実際のコピー動作が開始される。
即ち、操作パネル１５は、アイコン（処理選択部）Ｉを表示する表示手段として機能する。
【００２１】
また本実施の形態では、このうち「ワンタッチコピー」のアイコンＩは、ワンタッチアプリと言われるものとなっている。ワンタッチアプリは、ユーザが処理に対し希望する設定を予め行なったときに作成されるものである。つまりワンタッチアプリでは、ユーザが処理に対して希望する設定が既になされている。例えば、上述したコピーを行なう枚数、使用する用紙の選択等が既に設定されている。そのためユーザは「ワンタッチコピー」のアイコンＩをタッチすることで、迅速にこの処理を実行することができる。ワンタッチアプリを用意しておくことで、ユーザは、毎回複雑な設定を行う手間を省くことができる。なおワンタッチアプリには、アイコンＩをタッチすることで直ちにジョブが起動するもの（ダイレクト実行）と、確認画面を表示してユーザがスタートボタン等を押下することで処理が起動するもの（確認あり実行）がある。
【００２２】
しかしながらワンタッチアプリを作成するには、例えば、上述したコピーを行なう枚数、使用する用紙の選択等を予め設定する必要がある。そしてユーザは、正しい設定がわからないまま登録を行ない、その結果、正しい処理が実行できない設定が登録されてしまう場合がある。そしてこのワンタッチアプリを実行した場合、異常終了となり、設定を最初から入力し直す必要が生じることがある。またファクス送信を行なう場合などは、宛先の入力が間違っていると、送信できなかった宛先を再度入力し直す必要が生じることがある。
そこで本実施の形態では、処理を実行したときに正常に終了したときと正常に終了しなかったときとで設定を登録する方法を変更し、これによりユーザの手間を軽減する。
以下これを実現する制御部１００の構成について説明を行なう。
【００２３】
＜制御部１００の説明＞
図３は、制御部１００の機能構成例を示したブロック図である。なお図３では、制御部１００が有する種々の機能のうち本実施の形態に関係するものを選択して図示している。
図示するように本実施の形態の制御部１００は、受付手段１１０と、実行手段１２０と、生成手段１３０と、画像制御手段１４０と、出力手段１５０とを備える。
【００２４】
受付手段１１０は、ユーザから第１の処理および第１の処理を行なうための設定を受け付ける。ここで第１の処理は、ユーザが画像形成装置１０で行ないたい処理である。例えば、第１の処理は、図２で図示したアイコンＩに関連付けられた処理であり、コピー、ファクス／インターネットファクス等の処理である。また第１の処理を行なうための設定は、第１の処理が、例えば、「コピー」であったときは、上述したコピーを行なう枚数、使用する用紙の選択、白黒／カラーの選択、拡大／縮小の設定等である。このとき受付手段１１０は、操作パネル１５からユーザの指等が操作パネル１５の何れの位置に接触しているかの座標情報を取得する。そして受付手段１１０は、この座標情報から何れのアイコンＩが選択されているかを検知する。また受付手段１１０は、ユーザの操作によりユーザの選択の受け付けをするか否かを決定する。即ち、受付手段１１０が取得した座標情報から、ユーザの操作がタッチ操作であるか、長押し操作であるかなどを判別し、例えば、タッチ操作のときにユーザからの選択を受け付け、長押し操作のときは、ヘルプ画面を出すなどの他の動作を行なう。
また第１の処理は、例えば、ユーザがＰＣ等の外部装置から印刷のジョブを画像形成装置１０に送信することでプリントを行なうときは、この印刷のジョブである。
【００２５】
また受付手段１１０は、第２の処理を受け付ける。詳しくは後述するが、第２の処理は、本実施の形態では、ワンタッチアプリとして生成される。よってユーザが第２の処理を実行したい場合は、ワンタッチアプリをタッチ等する操作を行なう。そして受付手段１１０は、ワンタッチアプリについてのユーザの選択を受け付ける。
【００２６】
実行手段１２０は、受付手段１１０によりアイコンＩの選択が受け付けられたときに、このアイコンＩに関連付けられた処理を実行する。実際には、画像形成装置３０の各機構部に対し制御信号を出力し、各機構部を制御することでユーザの希望する処理を実現する。
例えば、スキャン処理の場合は、実行手段１２０は、画像読み取り部１６を制御し原稿の画像を読み取る読み取り処理を行なう。さらに実行手段１２０は、画像処理を行ない、画像処理後の画像情報を後述する出力手段１５０から出力する。また例えば、コピー処理の場合は、実行手段１２０は、画像読み取り部１６を制御し原稿の画像を読み取る読み取り処理を行なう。さらに実行手段１２０は、画像処理を行ない、画像処理後の画像情報を画像形成部１７に送り、画像形成部１７を制御して印刷を行なう。
【００２７】
生成手段１３０は、第１の処理を実行したときに第１の処理を再度行なうための第２の処理（ワンタッチアプリ）を生成する。そして生成手段１３０は、第１の処理が正常に終了したときと正常に終了しなかったときとで第２の処理（ワンタッチアプリ）の内容を異ならせる。つまり詳しくは後述するが、第１の処理が正常に終了したときと、正常に終了しなかったときとで、別々のワンタッチアプリを生成する。また生成手段１３０は、第１の処理が正常に終了したときと正常に終了しなかったときのそれぞれに応じて、第２の処理に関連付けられたアイコンＩをさらに生成する。
【００２８】
画像制御手段１４０は、操作パネル１５における画像の表示を制御する。即ち、画像制御手段１４０は、図２で説明したような画像の画像情報を作成する。そして後述する出力手段１５０から画像情報を出力する。これにより操作パネル１５では、図２で説明したような画像が表示される。
【００２９】
出力手段１５０は、画像形成装置３０の各機構部に対し制御信号を出力する。また出力手段１５０は、画像情報を出力する必要があるときに、画像情報を出力する。
【００３０】
次に制御部１００の動作についてさらに詳しく説明を行なう。ここでは、制御部１００の動作を、第１の実施形態〜第２の実施形態に分けて説明を行なう。
【００３１】
［第１の実施形態］
第１の実施形態では、第１の処理を実行後に、第１の処理を実行したときに第１の処理が正常に終了したときと正常に終了しなかったときのそれぞれに応じて、第２の処理であるワンタッチアプリを生成する場合について説明を行なう。
【００３２】
図４は、第１の実施形態における制御部１００の動作について説明したフローチャートである。
まずユーザは、第１の処理を行なうための設定を行なう（ステップ１０１）。この第１の処理は、上述したように、ユーザが行いたい処理であり、「コピー」等の処理である。そしてこの場合、ユーザは、操作パネル１５を操作し、コピーを行なう枚数、使用する用紙の選択、白黒／カラーの選択、拡大／縮小等の設定を行なう。
第１の処理の設定を行なうには、上述したように、例えば、図２で示したアイコンＩをタッチし、これにより表示される設定画面を操作する。この操作は、受付手段１１０により受け付けられ、受付手段１１０は、受け付けた設定を保存する（ステップ１０２）。
【００３３】
次にユーザが、スタートボタン等を押下すると、タッチしたアイコンＩに関連付けられた第１の処理が実行される（ステップ１０３）。ここでは、実行手段１２０が第１の処理を実行する。
【００３４】
次に生成手段１３０が、第１の処理が正常に終了したか否かを判断する（ステップ１０４）。
【００３５】
そして第１の処理が正常に終了しなかったとき（ステップ１０４でＮｏ）は、生成手段１３０は、設定を変更するための第２の処理を生成する（ステップ１０５）。つまり上記設定を変更するためのワンタッチアプリを新たに生成する。これは第１の処理が「コピー」であった場合、第２の処理は、コピーを行なう枚数、使用する用紙の選択、白黒／カラーの選択、拡大／縮小等の設定を修正するためのワンタッチアプリである。
【００３６】
またこのとき生成手段１３０は、第１の処理の一部が正常に終了しなかったときは、正常に終了しなかった第１の処理の一部に対する設定を変更するための第２の処理を生成するようにしてもよい。例えば、第１の処理がファクス送信やスキャンした原稿の送信などの処理だったときに、送信先が複数であり、一部の送信先に対して送信が失敗したような場合は、送信が失敗した送信先の宛先を変更するだけでよい。よってこの場合は、生成手段１３０は、送信が失敗した送信先の宛先に対する設定を変更するためのワンタッチアプリを作成する。
【００３７】
さらにこのとき生成手段１３０は、第１の処理が正常に終了しなかった状態により異なる第２の処理を生成してもよい。例えば、第１の処理としてファクス送信を行なったときに、送信先が話し中で送信が失敗したときは、送信先の宛先を再度確認する必要はない。そのため生成手段１３０は、ダイレクト実行するワンタッチアプリを生成する。一方、送信先の宛先が間違っていたために送信が失敗したときは、ユーザは、送信先の宛先を再度確認する必要がある。そのため生成手段１３０は、ワンタッチアプリとして確認あり実行するものを生成する。
【００３８】
そして生成手段１３０は、ステップ１０５において生成されたワンタッチアプリに関連付けられたアイコンＩをさらに生成する（ステップ１０６）。
さらに画像制御手段１４０が、生成手段１３０が生成したワンタッチアプリのアイコンＩを操作パネル１５に表示する（ステップ１０７）。
【００３９】
次に受付手段１１０は、ステップ１０６で操作パネル１５に表示したワンタッチアプリのアイコンＩをユーザがタッチしたか否かを判断する（ステップ１０８）。ここで、受付手段１１０は、ワンタッチアプリのアイコンＩを、ユーザがタッチした場合に選択を受け付ける。
【００４０】
そしてワンタッチアプリのアイコンＩを、ユーザがタッチしていない場合（ステップ１０８でＮｏ）、ステップ１０８に戻る。
【００４１】
対してワンタッチアプリのアイコンＩを、ユーザがタッチした場合（ステップ１０８でＹｅｓ）、このワンタッチアプリ（第２の処理）を実行する（ステップ１０９）。ここではワンタッチアプリをダイレクト実行する。
【００４２】
このワンタッチアプリは、ユーザが先に行なった設定を変更するものである。よってユーザは、操作パネル１５を操作し、先に行なった設定の修正を行なう（ステップ１１０）。この操作は、受付手段１１０により受け付けられる。
【００４３】
設定の修正後、ユーザが、スタートボタン等を押下すると、再度第１の処理が実行される（ステップ１１１）。これは実行手段１２０が実行する。
【００４４】
次に生成手段１３０が、再度行われた第１の処理が正常に終了したか否かを判断する（ステップ１１２）。
【００４５】
そして第１の処理が正常に終了したとき（ステップ１１２でＹｅｓ）は、生成手段１３０は、ステップ１０５で作成したワンタッチアプリ（第２の処理）を削除する（ステップ１１３）。つまり生成手段１３０は、第１の処理が正常に終了しなかったときに生成した第２の処理を、第２の処理により設定を変更した後に第１の処理を再度実行した場合に正常に終了したときは削除する。
【００４６】
対して第１の処理が再び正常に終了しなかったとき（ステップ１１２でＮｏ）、ステップ１０５で作成したワンタッチアプリ（第２の処理）は維持され、ステップ１０８に戻る。
【００４７】
ステップ１１３の後、およびステップ１０４で、第１の処理が正常に終了したとき（ステップ１０４でＹｅｓ）は、生成手段１３０は、設定を反映した第１の処理である第２の処理を生成する（ステップ１１４）。つまりステップ１０２で保存された設定に基づき、上記設定がなされたワンタッチアプリを新たに生成する。これは第１の処理が「コピー」であった場合、第２の処理は、コピーを行なう枚数、使用する用紙の選択、白黒／カラーの選択、拡大／縮小等の設定がなされ、この設定が保存されたワンタッチアプリである。
【００４８】
そして生成手段１３０は、ステップ１１４において生成されたワンタッチアプリに関連付けられたアイコンＩをさらに生成する（ステップ１１５）。
さらに画像制御手段１４０が、生成手段１３０が生成したワンタッチアプリのアイコンＩを操作パネル１５に表示する（ステップ１１６）。
【００４９】
図５（ａ）〜（ｂ）は、ステップ１１６およびステップ１０７で操作パネル１５に表示されるワンタッチアプリのアイコンＩを示した図である。
このうち図５（ａ）は、第１の処理が正常に終了したときに、ステップ１１６で操作パネル１５に表示されるワンタッチアプリのアイコンＩを示している。
図５（ａ）では、ワンタッチアプリのアイコンＩとして、図２の場合と比較して「いつものコピー」のアイコンＩが新たに生成され、加えられている。なおこのアイコンのデザインや名称は、一例であり、ユーザが指定することができる。
【００５０】
また図５（ｂ）は、第１の処理が正常に終了しなかったときに、ステップ１０７で操作パネル１５に表示されるワンタッチアプリのアイコンＩを示している。
図５（ｂ）では、ワンタッチアプリのアイコンＩとして、図５（ａ）と同様に、「いつものコピー」のアイコンＩが新たに生成され、加えられている。ただしここでは、図５（ａ）の場合区別ができるように、アイコンＩのデザインの変更を行ない、アイコンＩに「ＮＧ」の表記がされている。これによりユーザに対し、設定の変更を行なう必要があることを通知する。また図５（ｂ）のアイコンＩで矢印のマークは、このワンタッチアプリがダイレクト実行するものであることを示している。
【００５１】
［第２の実施形態］
第２の実施形態では、第１の処理の終了を待たずに、第２の処理であるワンタッチアプリを生成する場合について説明を行なう。
【００５２】
図６は、第２の実施形態における制御部１００の動作について説明したフローチャートである。
ステップ２０１〜ステップ２０３は、図４のステップ１０１〜ステップ１０３と同様であるので説明を省略する。
【００５３】
ステップ２０３の後は、生成手段１３０が、設定を反映した第１の処理である第２の処理を生成する（ステップ２０４）。つまり上記設定がなされたワンタッチアプリを第１の処理の終了を待たずに新たに生成する。
【００５４】
次に生成手段１３０が、第１の処理が正常に終了したか否かを判断する（ステップ２０５）。
【００５５】
そして第１の処理が正常に終了しなかったとき（ステップ２０５でＮｏ）は、ステップ２０４で既に生成した第２の処理を削除する（ステップ２０６）。即ち、上記設定がなされたワンタッチアプリを削除する。また生成手段１３０は、このときステップ２０２で保存された設定を削除する（ステップ２０７）。これにより誤りが含まれる設定の情報が残らない。
さらに生成手段１３０は、設定を変更するための第２の処理を生成する（ステップ２０８）。つまり上記設定を変更するためのワンタッチアプリを新たに生成する。
【００５６】
そして生成手段１３０は、ステップ２０８において生成されたワンタッチアプリに関連付けられたアイコンＩをさらに生成する（ステップ２０９）。
さらに画像制御手段１４０が、生成手段１３０が生成したワンタッチアプリのアイコンＩを操作パネル１５に表示する（ステップ２１０）。
【００５７】
以後のステップ２１１〜ステップ２１６は、図４のステップ１０８〜ステップ１１３と同様である。
【００５８】
ステップ２１６の後、およびステップ２０５で第１の処理が正常に終了したとき（ステップ２０５でＹｅｓ）は、生成手段１３０は、ステップ２０４で生成された第２の処理（ワンタッチアプリ）を維持する（ステップ２１７）。
【００５９】
そして生成手段１３０は、ステップ２０４において生成されたワンタッチアプリに関連付けられたアイコンＩをさらに生成する（ステップ２１８）。
さらに画像制御手段１４０が、生成手段１３０が生成したワンタッチアプリのアイコンＩを操作パネル１５に表示する（ステップ２１９）。
【００６０】
以上説明した画像形成装置１０によれば、第１の処理が正常に終了したときは、ユーザが設定した内容のまま登録を行ない、この設定で第１の処理を行なう第２の処理としてワンタッチアプリが生成される。以後、このワンタッチアプリを実行することで、ユーザの希望する設定がなされた処理を実行することができる。
一方、第１の処理が正常に終了しなかったときは、ユーザが設定の内容を変更するための第２の処理であるワンタッチアプリが生成される。そしてユーザは、このワンタッチアプリを実行することで、設定の変更を容易に行なうことができる。
【００６１】
このように本実施の形態では、第１の処理を実行したときに正常に終了したときと正常に終了しなかったときとで設定を登録するか否かを変更し、その結果、登録すべき設定をユーザの負担がより少ない方法で決めることができる。
また第１の処理が正常に終了しなかったときに生成されるワンタッチアプリを実行する際には、ユーザは、変更する必要がある事項に対してだけ設定の内容を変更すればよい。これによりユーザは、設定について変更を行なう必要があるものを簡単に認識でき、さらにより少ない手間で設定の変更を行なうことができる。そして第１の処理が正常に終了しなかった状態により異なるワンタッチアプリを生成するようにすることで、ユーザの確認等が不要である場合は、ダイレクト実行することで、ユーザの利便性が向上する。またこのとき生成したワンタッチアプリは、設定の変更後に第１の処理が正常に終了したときは、いわば自動的に削除されるので、ユーザの手間はさらに軽減される。また削除されたことをユーザが認識することで、第１の処理が正常に終了したことをユーザは確認することができる。
【００６２】
なお上述した例では、第２の処理としてワンタッチアプリを作成し、これを処理選択部の一例であるアイコンＩとして操作パネルに表示していた。ワンタッチアプリの場合、図２で示したようなホーム画面にこれを実行するためのアイコンＩが表示され、ユーザは、生成されたことがすぐわかる利点がある。また少ない操作で実行が可能である。ただし１つの設定を登録したワンタッチアプリに対し、１つのアイコンＩが生成されるため、ホーム画面上に表示されるアイコンＩが増えてしまうことがある。
【００６３】
ただし第２の処理としては、ワンタッチアプリに限られるものではない。例えば、第２の処理として、デフォルト値登録やプリセット登録ができるアプリを作成し、これをアイコンＩとして表示してもよい。デフォルト値登録は、設定の登録をデフォルト値として行なうものであり、使用する設定が１つの場合に特に有効である。またプリセット登録は、複数の設定を１つにまとめて登録し、その中からユーザが選択を行なうものである。これをアイコンＩとして表示する場合、複数の設定の登録を行なってもアイコンＩは、１つで済むため、図２で示すホーム画面等にアイコンＩをあまり増やしたくない場合に有効である。
【００６４】
また上述した例では、ワンタッチアプリを生成する際に、いわば自動的に生成していたが、これに限られるものではなく、例えば、ワンタッチアプリを生成するか否かをユーザに選択させる確認画面を表示するようにしてもよい。またワンタッチアプリ、デフォルト値登録、プリセット登録の何れを行なうか否かをユーザに選択させる画面を表示するようにしてもよい。
【００６５】
また上述した例では、処理装置として画像形成装置１０を例に取り説明を行なったがこれに限られるものではない。例えば、アプリケーションソフトウェアのアイコン等を並べて表示する携帯電話、スマートフォン、タブレットのような機器に対しても適用できる。
【符号の説明】
【００６６】
１０…画像形成装置、１５…操作パネル、１００…制御部、１１０…受付手段、１２０…実行手段、１３０…生成手段、１４０…画像制御手段、１５０…出力手段
【図１】
2018043463.tif 000003
【図２】
2018043463.tif 000004
【図３】
2018043463.tif 000005
【図４】
2018043463.tif 000006
【図５】
2018043463.tif 000007
【図６】
2018043463.tif 000008